(57)【要約】【課題】  省エネモード時に、更なる省エネを行う場合において、ユーザの使い勝手を損なう事なく無駄な電力消費を抑える。【解決手段】  ネットワークＩ／Ｆの電源供給をそれぞれ定められた長さのＯＮ期間とＯＦＦ期間の組み合わせで周期的にＯＮ／ＯＦＦ制御するプリント装置において、プリンタ側がホストに対してＯＮ／ＯＦＦの周期を通知する。ホスト側でプリントが必要になった場合には、プリンタ装置がネットワークＩ／Ｆ部の電源供給をＯＮ／ＯＦＦ制御開始した時間と、ＯＮ／ＯＦＦしている周期を元に、プリント等の命令をタイミング良く送信してやる。【選択図】  図１
2006224595.tif 000002
【特許請求の範囲】
【請求項１】
外部装置（ホストコンピュータ等）とネットワークで接続して、データの交換及び画像データを入力する手段と、装置の消費電力を抑えるための省エネ手段と、前期省エネ手段の一つとしてＩ／Ｆブロックへの電力供給をＯＮ／ＯＦＦ出来る手段を備えたプリンティングシステムにおいて、前期Ｉ／Ｆブロックへの電力供給をＯＮ／ＯＦＦするタイミングを前記外部装置に通知する手段を備えた事を特徴としたプリンティングシステム。
【請求項２】
前記Ｉ／Ｆブロックへの電力供給をＯＮ／ＯＦＦするタイミングに周期性を持たせた事を特徴としたプリンティングシステム。
【請求項３】
前記Ｉ／Ｆブロックへの電力供給をＯＮ／ＯＦＦする開始タイミングを外部装置に通知する事を特徴としたプリンティングシステム。
【請求項４】
前記Ｉ／Ｆブロックへの電力供給をＯＮ／ＯＦＦする周期とデューティー比をプリント装置が使用される頻度に応じて設定する事を特徴としたプリンティングシステム。
【請求項５】
前記Ｉ／Ｆブロックへの電力供給をＯＮ／ＯＦＦする周期とデューティー比をバッテリーの残量に応じて設定する事を特徴としたプリンティングシステム。
【発明の詳細な説明】
【技術分野】
【０００１】
本発明は、ホスト装置と省電力モードを有する複数の複合機及びプリンタ装置とを、ネットワークにより接続してなるプリンティングシステムに関するものである。
【背景技術】
【０００２】
近年データのデジタル化に伴い、パーソナルコンピュータ等をホスト装置に使用し、ホスト装置からの印字データ及び、印字制御データをネットワークを介して、複数の複合機やプリンタ装置に転送し、印字処理を行うシステムが知られている。
【０００３】
このようなシステムに組み込まれた複合機やプリンタ装置においては、装置が使用されていない場合の省エネルギーへの対応が強く望まれており、従来においては、複合機が使用されていない状態において、所定時間経過した後に自動的に複合機の有する定着器等の電力の通電をカットしたり、必要の無い回路の一部の通電を遮断する事で、複合機の消費している消費電力を低減し装置自体の省電力化を図っている。
【０００４】
また、このような省電力状態の複合機においては、ネットワークを介して外部装置（ホストコンピュータ等）から送信されるジョブを受け付ける事が出来るように、複合機のネットワークＩ／Ｆ部分は常時通電されており、外部装置からのジョブを受けた複合機は、省電力モードを解除して、ジョブの実行が可能となるように制御されている。
【０００５】
又、別の従来例としては、特許文献１及び特許文献２をあげることが出来る。
【特許文献１】特開２００４−１３０５２５号公報
【特許文献２】特開２００４−２２２２３４号公報
【発明の開示】
【発明が解決しようとする課題】
【０００６】
しかしながら、上記従来の複合機及びプリンタにおいては、省エネモードに移行した状態であっても、ネットワークＩ／Ｆ部分においては常に通電させている為、常時無駄な電力を消費し続けるという問題があった。
【０００７】
また、上記ネットワークＩ／Ｆ部分の省エネを行う為に、省エネモード時にネットワークＩ／Ｆ部分に対する電源供給を、定められた長さのＯＮ期間とＯＦＦ期間との組み合わせで周期的にＯＮ／ＯＦＦ制御し、通電状態を減らす事による省エネを行なう場合には、ホスト側で再送動作（ホストからプリント等の命令が来たときに、Ｉ／Ｆ部の電源がＯＦＦであれば、ホスト側で再度再送する）が必要とされ、ユーザにとって使い勝手が良くないという問題があった。
【課題を解決するための手段】
【０００８】
本発明は、複数のホスト装置と省電力モードを有する複数の複合機及びプリンタ装置とがネットワークで接続されたネットワークプリンタシステムに関するものであり、複合機及びプリンタ装置が省エネモードに移行した時に、ネットワークＩ／Ｆ部に対する電源供給をそれぞれ定められた長さのＯＮ期間とＯＦＦ期間の組み合わせで周期的にＯＮ／ＯＦＦ制御する装置において、プリンタ装置側が省エネモードに移行し、ネットワークＩ／Ｆ部の電源供給をＯＮ／ＯＦＦ制御する前に、予めホスト側にＯＮ／ＯＦＦ制御の周期と制御開始タイミングを通知する。
【０００９】
ホスト側でプリントが必要になった場合には、プリンタ装置がネットワークＩ／Ｆ部の電源供給をＯＮ／ＯＦＦ制御開始した時間と、ＯＮ／ＯＦＦしている周期を元に、プリント等の命令をタイミング良く送信してやる事により、ホストが再送する再送動作の回避、または再送回数を減らし、ユーザの利便性を損なう事なく省エネ効果を上げる事が出来る。
【発明の効果】
【００１０】
以上説明したように、ホスト装置と省電力モードを有する複合機及びプリンタ装置とがネットワークで接続されたネットワークプリンタシステムにおいて、複合機及びプリンタ装置が省エネモードに移行した時に、ネットワークＩ／Ｆ部に対する電源供給をそれぞれ定められた長さのＯＮ期間とＯＦＦ期間の組み合わせで周期的にＯＮ／ＯＦＦ制御する装置において、プリンタ装置側が省エネモードに移行し、ネットワークＩ／Ｆ部の電源供給をＯＮ／ＯＦＦ制御する前に、予めホスト側にＯＮ／ＯＦＦ制御の周期と制御開始タイミングを通知し、ホスト側でプリントが必要になった場合には、プリンタ装置がネットワークＩ／Ｆ部の電源供給をＯＮ／ＯＦＦ制御開始した時間と、ＯＮ／ＯＦＦしている周期を元に、プリント等の命令をタイミング良く送信してやる事により、ユーザの使い勝手を損なう事なく無駄な電力消費を抑える事が出来る。
【発明を実施するための最良の形態】
【００１１】
本発明の実施例におけるネットワークプリントシステムの全体構成を、図１を参照しながら説明する。
【００１２】
リーダー部（画像入力装置）２００は、原稿画像を光学的に読み取り、画像データに変換する。リーダー部２００は、原稿を読取るための機能を持つスキャナユニット２１０と、原稿用紙を搬送するための機能を持つ原稿給紙ユニット２５０とで構成される。
【００１３】
プリンタ部（画像出力装置）３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００１４】
制御装置１１０は、リーダー部２００、プリンタ部３００と電気的に接続され、さらにネットワーク４００を介して、ホストコンピュータ４０１，４０２と接続されている。
【００１５】
制御装置１１０は、リーダー部２００を制御して、原稿の画像データを読込み、プリンタ部３００を制御して画像データを記録用紙に出力してコピー機能を提供する。また、リーダー部２００から読取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００１６】
操作部１８０は、制御装置１１０に接続され、液晶タッチパネルで構成され、画像入出力システムを操作するためのユーザＩ／Ｆを提供する。
【００１７】
図２はリーダー部２００及びプリンタ部３００の概観図である。リーダー部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。
【００１８】
２２２はリーダー画像処理回路部であり、ＣＣＤ２１８から出力される画像データに所定の処理を施し、スキャナＩ／Ｆを介して制御装置１１０へと出力するところである。
【００１９】
３５２はプリンタ画像処理回路部であり、プリンタＩ／Ｆを介して制御装置１１０から送られる画像信号をレーザードライバへと出力するところである。
【００２０】
プリンタ部３００のレーザードライバ３１７はレーザ発光部３１３、３１４、３１５、３１６を駆動するものであり、プリンタ画像処理部３５２から出力された画像データに応じたレーザ光をレーザ発光部３１３、３１４、３１５、３１６で発光させる。このレーザ光はミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２１】
用紙カセット３６０、３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００２２】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２３】
＜リーダー画像処理部の説明＞
図４はリーダー画像処理部２２２の詳細な構成を示すブロック図である。
【００２４】
このリーダー画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。そして、その電気信号（アナログ画像信号）は画像処理部２２２に入力され、クランプ＆Ａｍｐ．＆Ｓ／Ｈ＆Ａ／Ｄ部４０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部４０２で、シェーディング補正及び黒補正が施された後、制御装置１１０へと出力される。
【００２５】
＜制御装置の説明＞
制御装置１１０の機能を、図３に示すブロック図をもとに説明する。
【００２６】
メインコントローラ１１１は、主にＣＰＵ１１２と、バスコントローラ１１３、各種Ｉ／Ｆコントローラ回路とから構成される。
【００２７】
ＣＰＵ１１２とバスコントローラ１１３は制御装置１１０全体の動作を制御するものであり、ＣＰＵ１１２はＲＯＭ１２０からＲＯＭ  Ｉ／Ｆ１２１を経由して読込んだプログラムに基いて動作する。また、ホストコンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００２８】
ＤＲＡＭ１２２はＤＲＡＭ  Ｉ／Ｆ１２３によってメインコントローラ１１１と接続されており、ＣＰＵ１１２が動作するためのワークエリアや、画像データを蓄積するためのエリアとして使用される。
【００２９】
調歩同期シリアル通信コントローラ１１４はリーダー部２００、プリンタ部３００の各ＣＰＵとシリアルバス１７２，１７３を介して制御コマンドを送受信し、操作部１８０のタッチパネルやキー入力の通信を行う。
【００３０】
Network Contorller１２５はＩ／Ｆ１２７によってメインコントローラ１１１と接続され、コネクタ１２６によって外部ネットワークと接続される。ネットワークとしては一般的にイーサネット（登録商標）があげられる。
【００３１】
シリアルコネクタ１２４はメインコントローラ１１１と接続されて、外部機器との通信を行う。シリアルバスとしては一般的にＵＳＢがあげられる。
【００３２】
ＦＡＮ１２８はメインコントローラ１１１に接続され、コントローラ部１１０を冷却するのに用いる。
【００３３】
温度監視ＩＣ１４２はシリアルバス１４３によってメインコントローラ１１１に接続されている。温度監視ＩＣ１４２はＦＡＮ１２８の制御や、リアルタイムクロックモジュール１３７の温度補正等に用いられる。
【００３４】
汎用高速バス１３０には、拡張ボードを接続するための拡張コネクタ１３５とＩ／Ｏ制御部１３６，ＨＤコントローラ１３１，Ｃｏｄｅｃ１３３とが接続される。汎用高速バスとしては、一般的にＰＣＩバスがあげられる。
【００３５】
Ｃｏｄｅｃ１３３は、ＤＲＡＭ１２２に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１３４はＣｏｄｅｃ１３３の一時的なワーク領域として使用される。ＤＲＡＭ１２２との間のデータの転送は、バスコントローラ１１３によって制御されＤＭＡ転送される。
【００３６】
ＨＤコントローラ１３１は、外部記憶装置を接続するためのものである。本実施例においては、このＩ／Ｆを介してハードディスクドライブ１３２を接続している。ハードディスクドライブ１３２はプログラムを格納したり、画像データを記憶するのに用いている。
【００３７】
Ｉ／Ｏ制御部１３６は、データバスの制御を行い、ポート１４５や割り込み１４６の制御を行う。
【００３８】
パネルＩ／Ｆ１４１は、ＬＣＤコントローラ１４０に接続され、操作部上の液晶画面に表示を行うためのＩ／Ｆと、ハードキーやタッチパネルキーの入力を行うためのキー入力Ｉ／Ｆとから構成される。
【００３９】
操作部は液晶表示部と液晶表示部上に張り付けられたタッチパネル入力装置と、複数個のハードキーを有する。タッチパネルまたはハードキーにより入力された信号は前述したパネルＩ／Ｆ１７１を介してＣＰＵ１１２に伝えられ、液晶表示部はパネルＩ／Ｆ１４１から送られてきた画像データを表示するものである。液晶表示部には、本画像形成装置の操作における機能表示や画像データ等を表示する。
【００４０】
リアルタイムクロックモジュール１３７は、機器内で管理する日付と時刻を更新／保存するためのもので、バックアップ電池１３８によってバックアップされている。
【００４１】
ＳＲＡＭ１３９はバックアップ電池１３８でバックアップされ、ユーザーモードや各種設定情報や、ハードディスクドライブ１３２のファイル管理情報等を蓄積している。
【００４２】
Graphic Processor１５１は、ＤＲＡＭ１２２に蓄積された画像データに対して、画像回転、画像変倍、色空間変換、二値化、スキャナ画像入力、プリンタ画像出力の処理を行う。ＤＲＡＭ１５２はGraphic Processor１５１の一時的なワーク領域として使用される。Graphic Processor１５１はＩ／Ｆ１５０を介してメインコントローラ１１１と接続され、ＤＲＡＭ１２２との間のデータの転送は、バスコントローラ１１３によって制御されＤＭＡ転送される。
【００４３】
コネクタ１６０と１５５は、それぞれリーダー部２００とプリンタ部３００とに接続され、同調歩同期シリアルＩ／Ｆ（１７３，１７２）とビデオＩ／Ｆ（１６３，１６２）とから構成される。
【００４４】
スキャナ画像処理１５７は、コネクタ１６０を介してリーダー部２００と接続され、また、スキャナバス１６１によってGraphic Processor１５１と接続されており、リーダー部２００から受け取った画像に対して所定の処理を施す機能を有し、さらに、リーダー部２００から送られたビデオ制御信号をもとに生成した制御信号を、スキャナバス１６１に出力する機能も有する。
【００４５】
ＦＩＦＯ１５８はスキャナ画像処理１５７と接続され、リーダー部２００から送られてくるビデオ信号のライン補正を行うのに用いられる。
【００４６】
プリンタ画像処理１５３は、コネクタ１５５を介してプリンタ部３００と接続され、また、プリンタバス１５６によってGraphic Processor１５１と接続されており、Graphic Processor１５１から出力された画像データに所定の処理を施して、プリンタ部３００へ出力する機能を有し、さらに、プリンタ部３００から送られたビデオ制御信号をもとに生成した制御信号を、プリンタバス１６２に出力する機能も有する。
【００４７】
ＤＲＡＭ１５４はプリンタ画像処理１５３に接続され、ビデオ信号を一定時間遅延させるのに用いられる。
【００４８】
ＤＲＡＭ１２２上に展開されたラスターイメージデータのプリンタ部への転送は、バスコントローラ１１３によって制御され、Graphic Processor１５１、プリンタ画像処理１５３、コネクタ１５５を経由して、プリンタ部３００へＤＭＡ転送される。
【００４９】
＜スキャナ画像処理部の説明＞
スキャナ画像処理１５７の詳細な説明を行う。図６はスキャナ画像処理１５７を担う部分の詳細な構成を示すブロック図を示す。
【００５０】
リーダー部２００からコネクタ１６０を介して送られる画像信号に対して、つなぎ＆ＭＴＦ補正部６０１で読取速度に応じてライン毎の遅延量を調整し、読取速度によって変化したＭＴＦを補正する。ＣＣＤ２１８が３ラインＣＣＤの場合、つなぎ処理は３ラインの読取位置が同じになるように信号タイミングを補正する。ＦＩＦＯ１５８はライン遅延のバッファとして用いる。読取位置タイミングが補正されたデジタル信号は入力マスキング部６０２によって、ＣＣＤ２１８の分光特性及びランプ２１２及びミラー２１４、２１５、２１６の分光特性を補正する。入力マスキング部６０２の出力はＡＣＳカウント部６０３及びGraphic Processor１５１へと送られる。
【００５１】
＜ＡＣＳカウント部の説明＞
ＡＣＳ（オートカラーセレクト）カウント部の説明を図５を用いて行う。
【００５２】
オートカラーセレクト（以下ＡＣＳ）は、原稿がカラーなのか白黒なのかを判断する。つまり画素ごとの彩度を求めてある閾値以上の画素がどれだけ存在するかでカラー判定を行うものである。しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法はさまざまな方法が提供されているが、本実施例ではＡＣＳの方法にはこだわらない為、ごく一般的な手法で説明を行う。
【００５３】
前記したように、白黒画像でもミクロ的に見ると色画素が多数存在するわけであるから、その画素が本当に色画素であるかどうかは、注目画素に対して周辺の色画素の情報で判定する必要がある。５０１はそのためのフィルタであり、注目画素に対して周辺画素を参照する為にＦＩＦＯの構造をとる。５０２はメインコントローラ１１１からセットされた５０７〜５１０のレジスタに設定された値と、リーダー部２００から送られたビデオ制御信号５１２を元に、ＡＣＳをかける領域信号５０５を作成する回路である。５０３の色判定部は、ＡＣＳをかける領域信号５０５に基づき、注目画素に対して５０１のフィルタ内のメモリ内の周辺画素を参照し、注目画素が色画素か白黒画素かを決定する為の色判定部である。５０４は５０３の色判定部が出力した色判定信号の個数を数えるカウンタである。
【００５４】
メインコントローラ１１１は読み込み範囲に対してＡＣＳをかける領域を決定し、５０７〜５１０のレジスタに設定する（本実施例では、原稿に対して独立で範囲を決める構成をとる）。また、メインコントローラ１１１はＡＣＳをかける領域内での色判定信号の個数を計数するカウンタの値を、所定の閾値と比較し、当該原稿がカラーなのか白黒なのかを判断する。
【００５５】
５０７〜５１０のレジスタには、主走査方向、副走査方向それぞれについて、色判定部５０３が判定を開始する位置、判定を終了する位置を、リーダー部２００から送られたビデオ制御信号５１２に基づいて設定しておく。本実施例では、実際の原稿の大きさよりもそれぞれ１０ｍｍ程度小さめに設定している。
【００５６】
＜プリンタ画像処理部の説明＞
プリンタ画像処理１５３を担う部分についての詳細な説明を行う。図７はプリンタ画像処理１５３の詳細な構成を示すブロック図を示す。
【００５７】
Graphic Processor１５１から、プリンタバス１５６を介して送られる画像信号は、まずＬＯＧ変換部７０１に入力される。ＬＯＧ変換部７０１では、ＬＯＧ変換でＲＧＢ信号からＣＭＹ信号に変換する。次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタの出力にあった信号に補正される。ＵＣＲ＆マスキング部７０３で処理された信号はγ補正部７０４で濃度調整された後フィルタ部７０５でスムージング又はエッジ処理される。出力切り替え７０６で、感光ドラム３２１〜３２４のドラム間の距離を補正する為にＤＲＡＭ１５４にＣＭＹＫ画像毎に一旦画像を蓄積し、ドラム間の距離を補正した画像をコネクタ１５５を介してプリンタ部３００へとる。
【００５８】
＜Graphic Processorの説明＞
Graphic Processor１５１についての詳細な説明を行う。図８はGraphic Processor１３５の詳細な構成を示すブロック図である。
【００５９】
Graphic Processor１５１は、画像回転、画像変倍、色空間変換、二値化、スキャナ画像入力、プリンタ画像出力の処理をそれぞれ行うモジュールを有する。ＤＲＡＭ１５２はＤＲＡＭコントローラ８０８を介して各々のモジュールの一時的なワーク領域として使用される。各々のモジュールが用いるＤＲＡＭ１５２のワーク領域が競合しないよう、あらかじめ各々のモジュールごとにワーク領域が静的に割り当てを行う。Graphic Processor１５１はＩ／Ｆ１５０を介してメインコントローラ１１１と接続され、ＤＲＡＭ１２２との間のデータの転送は、バスコントローラ１１３によって制御されＤＭＡ転送される。
【００６０】
バスコントローラ１１３は、Graphic Processor１５１の各々のモジュールにモード等を設定する制御及び、各々のモジュールに画像データを転送するためのタイミング制御を行う。
【００６１】
入力インターフェース８１０はＩ／Ｆ１５０から入力された画像データをCrossBerSwitch８０９に入力する。画像データ形式は２値ラスターイメージデータ、多値ラスターイメージデータ、ＪＰＥＧ等を扱い、ＪＰＥＧ画像の場合は入力インターフェース８１０にてラスターイメージデータに変換してCrossBerSwitch８０９にデータ出力する。
【００６２】
出力インターフェース８１１はCrossBerSwitch８０９から入力された画像データをＩ／Ｆ１５０に出力する。CrossBerSwitch８０９から入力される画像データ形式はラスターイメージデータであるが、出力インターフェース８１１でＪＰＥＧ圧縮を行ってＩ／Ｆ１５０にデータ出力することも行える。
【００６３】
＜画像回転部の説明＞
以下に画像回転部８０１における処理手順を示す。
【００６４】
Ｉ／Ｆ１５０を介して、ＣＰＵ１１２からバスコントローラ１１３に画像回転制御のための設定を行う。この設定によりバスコントローラ１１３は画像回転部８０１に対して画像回転に必要な設定（たとえば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。尚、ここでは回転を行う画像サイズを３２画素×３２ラインとし、又、画像バス２００８上に画像データを転送させる際に２４ｂｙｔｅ（ＲＧＢ各々８ｂｉｔで１画素分）を単位とする画像転送を行うものとする。
【００６５】
上述のように、３２画素×３２ラインの画像を得るためには、上述の単位データ転送を３２×３２回行う必要があり、且つ不連続なアドレスから画像データを転送する必要がある。（図９参照）
不連続アドレッシングにより転送された画像データは、読み出し時に所望の角度に回転されているように、ＳＲＡＭ１３６に書き込まれる。例えば、９０度反時計方向回転であれば、転送される画像データを、図１０のようにＹ方向に書き込んでいく。読み出し時にＸ方向に読み出すことで、画像が回転される。
【００６６】
３２画素×３２ラインの画像回転（ＤＲＡＭ１５２への書き込み）が完了した後、画像回転部８０１はＤＲＡＭ１５２から上述した読み出し方法で画像データを読み出し、バスコントローラ１１３に画像を転送する。
【００６７】
回転処理された画像データを受け取ったバスコントローラ１１３は、連続アドレッシングを以て、ＤＲＡＭ１２２もしくはＩ／Ｆ上の各デバイスにデータを転送する。
【００６８】
こうした一連の処理は、ＣＰＵ１１２からの処理要求が無くなるまで（必要なページ数の処理が終わったとき）繰り返される。
【００６９】
＜画像変倍部の説明＞
以下に画像変倍部８０２における処理手順を示す。
【００７０】
Ｉ／Ｆ１５１を介して、ＣＰＵ１１２からバスコントローラ１１３に画像変倍制御のための設定を行う。この設定によりバスコントローラ１１３は画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００７１】
画像変倍部８０２は、受け取った画像データを一時ＤＲＡＭ１５２に格納し、これを入力バッファとして用いて、格納したデータに対して主走査、副走査の変倍率に応じて必要な画素数、ライン数の分の補間処理を行って画像を拡大もしくは縮小することで、変倍処理とする。変倍後のデータは再度ＤＲＡＭ１５２へ書き戻し、これを出力バッファとして画像変倍部８０２はＤＲＡＭ１５２から画像データを読み出し、バスコントローラ１１３に転送する。
【００７２】
変倍処理された画像データを受け取ったバスコントローラ１１３は、ＤＲＡＭ１２２もしくはＩ／Ｆ上の各デバイスにデータを転送する。
【００７３】
＜色空間変換部の説明＞
以下に色空間変換部８０３における処理手順を示す。
【００７４】
Ｉ／Ｆ１５０を介して、ＣＰＵ１１２からバスコントローラ１１３に色空間変換制御のための設定を行う。この設定によりバスコントローラ１１３は色空間変換部８０３およびＬＵＴ（ルック・アップ・テーブル）８０４に対して色空間変換処理に必要な設定（後述のマトリックス演算の係数、ＬＵＴ８０４のテーブル値等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００７５】
色空間変換部８０３は、受け取った画像データ１画素ごとに対して、まず下記の式で表される３×３のマトリックス演算を施す。
【００７６】
【数１】
2006224595.tif 000003
上式において、Ｒ、Ｇ、Ｂが入力、Ｘ、Ｙ、Ｚが出力、ａ１１、ａ１２、ａ１３、ａ２１、ａ２２、ａ２３、ａ３１、ａ３２、ａ３３、ｂ１、ｂ２、ｂ３、ｃ１、ｃ２、ｃ３がそれぞれ係数である。
【００７７】
上式の演算によって、例えばＲＧＢ色空間からＹｕｖ色空間への変換など、各種の色空間変換を行うことができる。
【００７８】
次に、マトリックス演算後のデータに対して、ＬＵＴ８０４による変換を行う。これによって、非線形の変換をも行うことができる。当然、スルーのテーブルを設定することにより、実質的にＬＵＴ変換を行わないこともできる。
【００７９】
その後、色空間変換部８０３は色空間変換処理された画像データをバスコントローラ１１３に転送する。
【００８０】
色空間変換処理された画像データを受け取ったバスコントローラ１１３は、ＤＲＡＭ１２２もしくはＩ／Ｆ上の各デバイスにデータを転送する。
【００８１】
＜画像二値化部の説明＞
以下に画像二値化部８０５における処理手順を示す。
【００８２】
Ｉ／Ｆ１５０を介して、ＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００８３】
画像二値化部８０５は、受け取った画像データに対して二値化処理を施す。本実施例では、二値化の手法としては、画像データを所定の閾値と比較して単純に二値化するものとする。もちろん、ディザ法、誤差拡散法、誤差拡散法を改良したものなど、いずれの手法によってもかまわない。
【００８４】
その後、画像二値化部８０５は二値化処理された画像データをバスコントローラ１１３に転送する。
【００８５】
二値化処理された画像データを受け取ったバスコントローラ１１３は、ＤＲＡＭ１２２もしくはＩ／Ｆ上の各デバイスにデータを転送する。
【００８６】
＜スキャナ入力部の説明＞
以下にスキャナ入力部８０６における処理手順を示す。
【００８７】
Ｉ／Ｆ１５０を介して、ＣＰＵ１１２からバスコントローラ１１３にスキャナ入力制御のための設定を行う。この設定によりバスコントローラ１１３はスキャナ入力部８０６に対して必要な設定（入力処理に応じた各種パラメータ等）を行う。必要な設定を行った後に、再度ＣＰＵ１１２からバスコントローラ１１３に対して画像データ転送の許可を行う。その後、スキャナ画像処理１５７から入力される同期信号に同期して画像データがスキャナ入力部８０６に入力される。スキャナ入力部８０６は受け取った画像データを入力バッファとして一旦ＤＲＡＭ１５２に格納する。その後スキャナ入力部はＤＲＡＭ１５２に格納した画像をバスコントローラ１１３に転送する。スキャナ入力画像データを受け取ったバスコントローラ１１３は、ＤＲＡＭ１２２もしくはＩ／Ｆ上の各デバイスにデータを転送する。
【００８８】
＜プリンタ出力部の説明＞
以下にプリンタ出力部８０７における処理手順を示す。
【００８９】
Ｉ／Ｆ１５０を介して、ＣＰＵ１１２からバスコントローラ１１３にプリンタ出力制御のための設定を行う。この設定によりバスコントローラ１１３はプリンタ出力部８０７に対して必要な設定（出力処理に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００９０】
プリンタ出力部８０７は受け取った画像データを一旦ＤＲＡＭ１５２に格納する。その後プリンタ画像処理１５３から入力される同期信号に応じてＤＲＡＭ１５２に格納した画像をプリンタ画像処理部１５３に出力する。
【００９１】
＜画像出力時のシーケンス＞
図１１は、本実施例における省エネモードへの移行及び、画像出力までの手順を示すフローチャートである。なお、図中のＳ１００１〜Ｓ１０１０は、各ステップを示す。
【００９２】
まずＳ１００１は、複合機及びプリンタのプリント動作が終了した状態であり、複合機及びプリンタは、Ｓ１００２より、次の印字データが来るまで待機する。
【００９３】
ここで、次の印字データが来れば、Ｓ１００１に戻りプリント終了を待ち、印字データが来なければ、Ｓ１００３より、所定の時間が経過したか否かの判定が行われる。
【００９４】
所定時間（省エネモードに移行するまでの設定時間）経過していなければ、Ｓ１００２にもどり、印字データ待ち状態となり、所定時間経過していれば、Ｓ１００４に移り省エネモードに移行する。
【００９５】
ここで、省エネモードに移行した事により、各ブロックへの電力の供給がストップされるが、Ｉ／Ｆブロックにおいては、ホストとの通信を行うため電力が供給され続ける。
【００９６】
省エネモードに移行した後、Ｓ１００５より、Ｉ／Ｆブロックに対する、電力供給の周期が決められる。
【００９７】
電力供給の周期として予め設定されていた場合には、Ｓ１００７に進むが、条件により電力供給の周期を変更設定する場合には、Ｓ１００６に移行する。
【００９８】
Ｓ１００６では、複写機およびプリンタの使用される頻度に応じた周期の決定が行われ、使用頻度が高いと判断された場合には、ＯＮ時間が長く設定され、使用頻度が低いと判断された場合には、ＯＦＦ時間が長く設定される。
【００９９】
ここでの条件として、バッテリー駆動のプリンタであれば、バッテリーの残量に合わせて電力供給のＯＮ／ＯＦＦの周期を決定しても良い。
【０１００】
Ｓ１００７では、決定したインターフェイスブロックに対する電力供給の周期をホスト側に送信しており、それを受けたホスト側では、その情報に応じてプリンタに対する印字命令を転送する。
【０１０１】
Ｓ１００８では、ホストから印字命令が来たか否かの判断が行われ、印字命令が来ていなければ、Ｓ１００５に移行する。
【０１０２】
Ｓ１００５に移行されると、前記と同様に電力供給の周期が決定されるが、Ｓ１００６の条件選択により、印字命令が長い間通達されなければ、電力供給のＯＦＦ時間が段階的に長く設定変更される。
【０１０３】
設定が変更されるとＳ１００７より、再度ＯＮ／ＯＦＦの周期がホスト側に通達され、Ｓ１００８でプリント命令が来るまで、繰り替えされる。
【０１０４】
Ｓ１００８でプリント命令を受けると、Ｓ１００９より、通常モードに移行しＳ１０１０でプリントが開始される。
【０１０５】
図１２は、本実施例におけるホスト側の手順を示すフローチャートである。なお、図中のＳ１１０１〜Ｓ１１０４は、各ステップを示す。
【０１０６】
Ｓ１１０１により、プリントの開始を行う場合には、まずＳ１１０２より、プリントしたい複写機およびプリンタが省エネモードに移行しているか否かの判断が行われる。
【０１０７】
ここで、省エネモードに移行していなければ、Ｓ１１０５より、プリンタに対してプリント命令が送信されプリントが開始させる。
【０１０８】
省エネモードに移行している場合には、Ｓ１１０３より省エネモードに移行したプリンタがインターフェースの電力供給のＯＮ／ＯＦＦ周期を転送しているか否かの判断が行われ、転送していなければ（インターフェースの電源供給をＯＮ／ＯＦＦする機能を持たないプリンタ等）、Ｓ１１０５より、プリンタに対してプリント命令が送信される。
【０１０９】
省エネモードに移行する前に、Ｉ／Ｆブロックの電力供給のＯＮ／ＯＦＦ周期を送信してきているプリンタに対しては、省エネモードに移行した開始時間と、ＯＮ／ＯＦＦしている周期を元にＩ／Ｆブロックに電力が供給されているタイミングを計算し、Ｓ１１０５よりプリント命令を発行し、プリントが開始される。
【図面の簡単な説明】
【０１１０】
【図１】本装置の全体構成を示すブロック図である。
【図２】本装置のリーダ部及びプリンタ部の外観図である。
【図３】本装置の制御装置部のブロック図である。
【図４】リーダー画像処理部のブロック図である。
【図５】ＡＣＳカウント部のブロック図である。
【図６】スキャナＩ／Ｆの画像処理に関する部分のブロック図である。
【図７】プリンタＩ／Ｆの画像処理に関する部分のブロック図である。
【図８】Graphic Processorのブロック図である。
【図９】画像回転部の動作を説明する図である。
【図１０】画像回転部の動作を説明する図である。
【図１１】本実施例のフローチャート。
【図１２】本実施例のホスト側のフローチャート。
【図１】
2006224595.tif 000004
【図２】
2006224595.tif 000005
【図３】
2006224595.tif 000006
【図４】
2006224595.tif 000007
【図５】
2006224595.tif 000008
【図６】
2006224595.tif 000009
【図７】
2006224595.tif 000010
【図８】
2006224595.tif 000011
【図９】
2006224595.tif 000012
【図１０】
2006224595.tif 000013
【図１１】
2006224595.tif 000014
【図１２】
2006224595.tif 000015